【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
アプリケーションのプレゼンテーションのテーマを作成する方法であって、
境界画像を受信するステップであり、前記境界画像は前記プレゼンテーションのスライドの境界画像エリア内の表示に関する、ステップと、
前記境界画像に少なくとも部分的に基づいて前記スライドの背景エリアに対応する背景色を選択するルールを含む背景色ルールを受信するステップと、
前記スライドに表示されるテキストのテキスト色を選択するルールを含むテキスト色ルールを受信するステップであり、前記テキスト色ルールは、前記背景色の変更に基づいて複数の利用可能なテキスト色のうちいずれを選択すべきかを示す、ステップと、
プロセッサにより、前記境界画像と前記背景色ルールと前記テキスト色ルールとを前記プレゼンテーションの前記テーマにまとめるステップと、
前記まとめられたテーマを、前記背景色ルール及び前記テキスト色ルールに従う前記まとめられたテーマを含む前記プレゼンテーションを表示するように構成されたアプリケーションに提供するステップと、
前記スライドに表示されるテキストの前記テキスト色又は前記背景色のうち一方への変更する要求を検出するステップであり、前記テキスト色又は前記背景色のうち他方は要求されていない、ステップと、
前記検出するステップに応じて、要求されていない色を変更する選択肢が無効にされ、前記要求されていない色は変更されないままであることを決定するステップと、
前記検出するステップに応じて、ユーザによる選択のために前記変更する要求に対応する色を置き換えるための前記テキスト色と前記背景色との間のコントラスト比閾値を満たす色のサブセットを表示するステップであり、前記要求されていない色と前記色のサブセットのうち各々との間のコントラスト比は前記コントラスト比閾値を満たす、ステップと、
ユーザから、前記要求に対応する前記色を置き換えるための前記色のサブセットのうち１つの選択を受信するステップと、
を含む方法。
【請求項２】
前記境界画像を受信するステップは、
前記境界画像に関連づけられた１つ以上の色を決定するステップ
を含む、請求項１に記載の方法。
【請求項３】
前記背景色ルールを受信するステップは、
前記スライド内の表示のための画像に基づいて複数の背景色のうちいずれを選択すべきかに関する基準を示すステップであり、前記画像は、複数の画像色のうち１つ以上を含み、前記基準は、いずれの画像色が前記画像内に表されるかに基づいていずれの背景色を選択すべきかを規定する、ステップ
を含む、請求項１に記載の方法。
【請求項４】
前記背景色の選択は、前記画像内で識別された複数の画像色間の比率に基づく、請求項３に記載の方法。
【請求項５】
前記背景色ルールが、前記選択された背景色に基づいて画像境界について複数の色のうちいずれを選択すべきかを示す画像境界ルールを含むと決定するステップであり、前記画像境界は、前記画像のまわりの境界エリアを含み、前記画像境界の色は、前記背景色と区別できるが関連づけられてもいる、ステップ
をさらに含む請求項３に記載の方法。
【請求項６】
前記境界画像を受信するステップは、
前記背景色に対して第１のコントラスト比に対応する第１の色テーマを有する第１の境界画像を受信するステップと、
前記背景色に対して第２のコントラスト比に対応する第２の色テーマを有する第２の境界画像を受信するステップと、
を含み、
前記背景色ルールは、前記背景色の選択に基づいていずれの境界画像を表示すべきかを示す、
請求項１に記載の方法。
【請求項７】
前記テキスト色ルールは、前記複数の色と前記背景色との間のコントラスト比に基づいて複数のテキスト色のうちいずれを選択すべきかを示す、請求項１に記載の方法。
【請求項８】
前記背景色と前記テキスト色との間の前記コントラスト比は、前記背景色と背景画像色との間のコントラスト比より大きい、請求項７に記載の方法。
【請求項９】
前記テキスト色と前記背景色との間の前記コントラスト比が前記コントラスト比閾値を下回ると決定することは、
前記変更が前記コントラスト比に前記コントラスト比閾値を下回らせることになる警告を表示することと、
前記コントラスト比閾値を満たす代替的な１つ以上の色を提供することと、
を含む、請求項１に記載の方法。
【請求項１０】
前記テキスト色と前記背景色との間の前記コントラスト比と異なる、画像境界と前記背景色との間の第２のコントラスト閾値を決定するステップ、
をさらに含む請求項１に記載の方法。
【請求項１１】
メモリと、
前記メモリに結合され、
境界画像を受信することであって、前記境界画像はプレゼンテーションのスライドの境界画像エリア内の表示に関し、
前記境界画像に少なくとも部分的に基づいて前記スライドの背景エリアに対応する背景色を選択するルールを含む背景色ルールを受信し、
前記スライドに表示されるテキストのテキスト色を選択するルールを含むテキスト色ルールを受信することであって、前記テキスト色ルールは、前記背景色の変更に基づいて複数の利用可能なテキスト色のうちいずれを選択すべきかを示し、
プロセッサにより、前記境界画像と前記背景色ルールと前記テキスト色ルールとを前記プレゼンテーションのテーマにまとめ、
前記まとめられたテーマを、前記背景色ルール及び前記テキスト色ルールに従う前記まとめられたテーマを含む前記プレゼンテーションを表示するように構成されたアプリケーションに提供し、
前記スライドに表示されるテキストの前記テキスト色又は前記背景色のうち一方への変更する要求を検出し、前記テキスト色又は前記背景色のうち他方は要求されておらず、
前記検出に応じて、要求されていない色を変更する選択肢が無効にされ、前記要求されていない色は変更されないままであることを決定し、
前記検出に応じて、ユーザによる選択のために前記変更する要求に対応する色を置き換えるための前記テキスト色と前記背景色との間のコントラスト比閾値を満たす色のサブセットを表示し、前記要求されていない色と前記色のサブセットのうち各々との間のコントラスト比は前記コントラスト比閾値を満たし、
ユーザから、前記要求に対応する前記色を置き換えるための前記色のサブセットのうち１つの選択を受信する
ように構成された少なくとも１つのプロセッサと、
を含むシステム。
【請求項１２】
前記境界画像を受信するように構成された前記プロセッサは、
前記境界画像に関連づけられた１つ以上の色を決定する
ように構成される、請求項１１に記載のシステム。
【請求項１３】
前記背景色ルールを受信するように構成された前記プロセッサは、
前記スライド内の表示のための画像に基づいて複数の背景色のうちいずれを選択すべきかに関する基準を示すことであって、前記画像は、複数の画像色のうち１つ以上を含み、前記基準は、いずれの画像色が前記画像内に表されるかに基づいていずれの背景色を選択すべきかを規定する
ように構成される、請求項１１に記載のシステム。
【請求項１４】
前記背景色の選択は、前記画像内で識別された複数の画像色間の比率に基づく、請求項１３に記載のシステム。
【請求項１５】
前記プロセッサは、
前記背景色ルールが、前記選択された背景色に基づいて画像境界について複数の色のうちいずれを選択すべきかを示す画像境界ルールを含むと決定することであって、前記画像境界は、前記画像のまわりの境界エリアを含み、前記画像境界の色は、前記背景色と区別できるが関連づけられてもいる
ようにさらに構成される、請求項１３に記載のシステム。
【請求項１６】
前記テキスト色ルールは、前記複数の色と前記背景色との間のコントラスト比に基づいて複数のテキスト色のうちいずれを選択すべきかを示す、請求項１１に記載のシステム。
【請求項１７】
前記背景色と前記テキスト色との間のコントラスト比が、前記背景色と背景画像色との間のコントラスト比より大きい、請求項１６に記載のシステム。
【請求項１８】
命令をメモリに記憶させたコンピュータシステムであって、前記命令は、装置の少なくとも１つのプロセッサにより実行されたときに、前記少なくとも１つのプロセッサに、
境界画像を受信することであり、前記境界画像はプレゼンテーションのスライドの境界画像エリア内の表示に関する、ことと、
前記境界画像に少なくとも部分的に基づいて前記スライドの背景エリアに対応する背景色を選択するルールを含む背景色ルールを受信することと、
前記スライドに表示されるテキストのテキスト色を選択するルールを含むテキスト色ルールを受信することであり、前記テキスト色ルールは、前記背景色の変更に基づいて複数の利用可能なテキスト色のうちいずれを選択すべきかを示す、ことと、
プロセッサにより、前記境界画像と前記背景色ルールと前記テキスト色ルールとを前記プレゼンテーションのテーマにまとめることと、
前記まとめられたテーマを、前記背景色ルール及び前記テキスト色ルールに従う前記まとめられたテーマを含む前記プレゼンテーションを表示するように構成されたアプリケーションに提供することと、
前記スライドに表示されるテキストの前記テキスト色又は前記背景色のうち一方への変更する要求を検出することであり、前記テキスト色又は前記背景色のうち他方は要求されていない、ことと、
前記検出に応じて、要求されていない色を変更する選択肢が無効にされ、前記要求されていない色は変更されないままであることを決定することと、
前記検出に応じて、ユーザによる選択のために前記変更する要求に対応する色を置き換えるための前記テキスト色と前記背景色との間のコントラスト比閾値を満たす色のサブセットを表示することであり、前記要求されていない色と前記色のサブセットのうち各々との間のコントラスト比は前記コントラスト比閾値を満たす、ことと、
ユーザから、前記要求に対応する前記色を置き換えるための前記色のサブセットのうち１つの選択を受信することと、
を含む動作を実行させる、システム。
【請求項１９】
前記動作は、
前記背景色ルールが、前記選択された背景色に基づいて画像境界について複数の色のうちいずれを選択すべきかを示す画像境界ルールを含むと決定することであり、前記画像境界は、画像のまわりの境界エリアを含み、前記画像境界の色は、前記背景色と区別できるが関連づけられてもいる、こと
をさらに含む、請求項１８に記載のシステム。
【請求項２０】
前記境界画像を受信することは、
前記背景色に対して第１のコントラスト比に対応する第１の色テーマを有する第１の境界画像を受信することと、
前記背景色に対して第２のコントラスト比に対応する第２の色テーマを有する第２の境界画像を受信することと、
を含み、
前記背景色ルールは、前記背景色の選択に基づいていずれの境界画像を表示すべきかを示す、
請求項１８に記載のシステム。
【手続補正２】
【補正対象書類名】明細書
【補正対象項目名】００５８
【補正方法】変更
【補正の内容】
【００５８】
本開示の幅及び範囲は、上記で説明された例示的な実施例のいずれによっても限定されるべきでなく、別記の特許請求の範囲及びその均等物に従ってのみ定義されるべきである。
上記の実施形態につき以下の付記を残しておく。
［付記１］
アプリケーションのプレゼンテーションのテーマを作成する方法であって、
境界画像を受信するステップであり、前記境界画像は前記プレゼンテーションのスライドの境界画像エリア内の表示に関する、ステップと、
前記境界画像に少なくとも部分的に基づいて前記スライドの背景エリアに対応する背景色を選択するルールを含む背景色ルールを受信するステップと、
前記スライドに表示されるテキストのテキスト色を選択するルールを含むテキスト色ルールを受信するステップであり、前記テキスト色ルールは、前記背景色の変更に基づいて複数の利用可能なテキスト色のうちいずれを選択すべきかを示す、ステップと、
プロセッサにより、前記境界画像と前記背景色ルールと前記テキスト色ルールとを前記プレゼンテーションの前記テーマにまとめるステップと、
前記まとめられたテーマを、前記背景色ルール及び前記テキスト色ルールに従う前記まとめられたテーマを含む前記プレゼンテーションを表示するように構成されたアプリケーションに提供するステップと、
を含む方法。
［付記２］
前記境界画像を受信するステップは、
前記境界画像に関連づけられた１つ以上の色を決定するステップ
を含む、付記１に記載の方法。
［付記３］
前記背景色ルールを受信するステップは、
前記スライド内の表示のための画像に基づいて複数の背景色のうちいずれを選択すべきかに関する基準を示すステップであり、前記画像は、複数の画像色のうち１つ以上を含み、前記基準は、いずれの画像色が前記画像内に表されるかに基づいていずれの背景色を選択すべきかを規定する、ステップ
を含む、付記１に記載の方法。
［付記４］
前記背景色の選択は、前記画像内で識別された複数の画像色間の比率に基づく、付記３に記載の方法。
［付記５］
前記背景色ルールが、前記選択された背景色に基づいて画像境界について複数の色のうちいずれを選択すべきかを示す画像境界ルールを含むと決定するステップであり、前記画像境界は、前記画像のまわりの境界エリアを含み、前記画像境界の色は、前記背景色と区別できるが関連づけられてもいる、ステップ
をさらに含む付記３に記載の方法。
［付記６］
前記境界画像を受信するステップは、
前記背景色に対して第１のコントラスト比に対応する第１の色テーマを有する第１の境界画像を受信するステップと、
前記背景色に対して第２のコントラスト比に対応する第２の色テーマを有する第２の境界画像を受信するステップと、
を含み、
前記背景色ルールは、前記背景色の選択に基づいていずれの境界画像を表示すべきかを示す、
付記１に記載の方法。
［付記７］
テキスト色ルールが、前記複数の色と前記背景色との間のコントラスト比に基づいて複数のテキスト色のうちいずれを選択すべきかを示す、付記１に記載の方法。
［付記８］
前記背景色と前記テキスト色との間のコントラスト比が、前記背景色と背景画像色との間のコントラスト比より大きい、付記７に記載の方法。
［付記９］
メモリと、
前記メモリに結合され、
境界画像を受信することであって、前記境界画像はプレゼンテーションのスライドの境界画像エリア内の表示に関し、
前記境界画像に少なくとも部分的に基づいて前記スライドの背景エリアに対応する背景色を選択するルールを含む背景色ルールを受信し、
前記スライドに表示されるテキストのテキスト色を選択するルールを含むテキスト色ルールを受信することであって、前記テキスト色ルールは、前記背景色の変更に基づいて複数の利用可能なテキスト色のうちいずれを選択すべきかを示し、
プロセッサにより、前記境界画像と前記背景色ルールと前記テキスト色ルールとを前記プレゼンテーションのテーマにまとめ、
前記まとめられたテーマを、前記背景色ルール及び前記テキスト色ルールに従う前記まとめられたテーマを含む前記プレゼンテーションを表示するように構成されたアプリケーションに提供する
ように構成された少なくとも１つのプロセッサと、
を含むシステム。
［付記１０］
前記境界画像を受信するように構成された前記プロセッサは、
前記境界画像に関連づけられた１つ以上の色を決定する
ように構成される、付記９に記載のシステム。
［付記１１］
前記背景色ルールを受信するように構成された前記プロセッサは、
前記スライド内の表示のための画像に基づいて複数の背景色のうちいずれを選択すべきかに関する基準を示すことであって、前記画像は、複数の画像色のうち１つ以上を含み、前記基準は、いずれの画像色が前記画像内に表されるかに基づいていずれの背景色を選択すべきかを規定する
ように構成される、付記９に記載のシステム。
［付記１２］
前記背景色の選択は、前記画像内で識別された複数の画像色間の比率に基づく、付記１１に記載のシステム。
［付記１３］
前記プロセッサは、
前記背景色ルールが、前記選択された背景色に基づいて画像境界について複数の色のうちいずれを選択すべきかを示す画像境界ルールを含むと決定することであって、前記画像境界は、前記画像のまわりの境界エリアを含み、前記画像境界の色は、前記背景色と区別できるが関連づけられてもいる
ようにさらに構成される、付記１１に記載のシステム。
［付記１４］
前記境界画像を受信するように構成された前記プロセッサは、
前記背景色に対して第１のコントラスト比に対応する第１の色テーマを有する第１の境界画像を受信し、
前記背景色に対して第２のコントラスト比に対応する第２の色テーマを有する第２の境界画像を受信する
ように構成され、
前記背景色ルールは、前記背景色の選択に基づいていずれの境界画像を表示すべきかを示す、
付記９に記載のシステム。
［付記１５］
テキスト色ルールが、前記複数の色と前記背景色との間のコントラスト比に基づいて複数のテキスト色のうちいずれを選択すべきかを示す、付記９に記載のシステム。
［付記１６］
前記背景色と前記テキスト色との間のコントラスト比が、前記背景色と背景画像色との間のコントラスト比より大きい、付記１５に記載のシステム。
［付記１７］
命令をメモリに記憶させた非一時的コンピュータ読取可能装置であって、前記命令は、当該装置の少なくとも１つのプロセッサにより実行されたときに、前記少なくとも１つのプロセッサに、
境界画像を受信するステップであり、前記境界画像はプレゼンテーションのスライドの境界画像エリア内の表示に関する、ステップと、
前記境界画像に少なくとも部分的に基づいて前記スライドの背景エリアに対応する背景色を選択するルールを含む背景色ルールを受信するステップと、
前記スライドに表示されるテキストのテキスト色を選択するルールを含むテキスト色ルールを受信するステップであり、前記テキスト色ルールは、前記背景色の変更に基づいて複数の利用可能なテキスト色のうちいずれを選択すべきかを示す、ステップと、
プロセッサにより、前記境界画像と前記背景色ルールと前記テキスト色ルールとを前記プレゼンテーションのテーマにまとめるステップと、
前記まとめられたテーマを、前記背景色ルール及び前記テキスト色ルールに従う前記まとめられたテーマを含む前記プレゼンテーションを表示するように構成されたアプリケーションに提供するステップと、
を含む動作を実行させる、装置。
［付記１８］
前記動作は、
前記背景色ルールが、前記選択された背景色に基づいて画像境界について複数の色のうちいずれを選択すべきかを示す画像境界ルールを含むと決定するステップであり、前記画像境界は、画像のまわりの境界エリアを含み、前記画像境界の色は、前記背景色と区別できるが関連づけられてもいる、ステップ
をさらに含む、付記１７に記載の装置。
［付記１９］
前記境界画像を受信するステップは、
前記背景色に対して第１のコントラスト比に対応する第１の色テーマを有する第１の境界画像を受信するステップと、
前記背景色に対して第２のコントラスト比に対応する第２の色テーマを有する第２の境界画像を受信するステップと、
を含み、
前記背景色ルールは、前記背景色の選択に基づいていずれの境界画像を表示すべきかを示す、
付記１７に記載の装置。
［付記２０］
テキスト色ルールが、前記複数の色と前記背景色との間のコントラスト比に基づいて複数のテキスト色のうちいずれを選択すべきかを示す、付記１７に記載の装置。